(57)【要約】【課題】前景に対して背景を併せて表示する投影装置において、当該投影装置の奥行方向の小型化を実現する。【解決手段】投影装置は、凸形状のハーフミラー１と、ハーフミラー１の反凸側に配置され、被写体を写した被写体映像を表示する前景用表示装置２と、ハーフミラー１の両サイドに前景用表示装置２に垂直にそれぞれ配置され、被写体映像に対する背景映像を左右で分割した各分割背景映像をそれぞれ表示する２つの背景用表示装置３ａ，３ｂと、を備え、２つの背景用表示装置３ａ，３ｂにそれぞれ表示された各分割背景映像をハーフミラー１にそれぞれ反射させ、前景用表示装置２に表示された被写体映像よりも奥側に背景映像の虚像を表示する。【選択図】図１
2019045739.tif 000002
【特許請求の範囲】
【請求項１】
凸形状のハーフミラーと、
前記ハーフミラーの反凸側に配置され、被写体を写した被写体映像を表示する前景用表示装置と、
前記ハーフミラーの両サイドに前記前景用表示装置に垂直にそれぞれ配置され、前記被写体映像に対する背景映像を左右で分割した各分割背景映像をそれぞれ表示する２つの背景用表示装置と、を備え、
前記２つの背景用表示装置にそれぞれ表示された各分割背景映像を前記ハーフミラーにそれぞれ反射させ、前記前景用表示装置に表示された被写体映像よりも奥側に前記背景映像の虚像を表示することを特徴とする投影装置。
【請求項２】
前記ハーフミラーは、凸形状の凸部分が湾曲した形状を備え、
前記背景用表示装置は、
前記ハーフミラーの湾曲部分で反射される部分の分割背景映像の横軸方向の大きさの割合を当該湾曲部分の湾曲率に応じて変更することを特徴とする請求項１に記載の投影装置。
【請求項３】
前記ハーフミラーは、１つの平形状のハーフミラーを折り曲げて成り、折り曲げられた湾曲部分の透過率は平面部分の透過率よりも高い構成を備え、
前記背景用表示装置は、
前記ハーフミラーの湾曲部分で反射される部分の分割背景映像の輝度を当該湾曲部分の透過率に応じて変更することを特徴とする請求項１又は２に記載の投影装置。
【請求項４】
前記ハーフミラーと前記背景用表示装置との間の床面に配置され、前記ハーフミラーと前記前景用表示装置との間にある床面のテクスチャと同じテクスチャを持つ境界抑制体を更に備えることを特徴とする請求項１乃至３のいずれかに記載の投影装置。
【請求項５】
前記ハーフミラーと前記背景用表示装置との間の床面に配置され、前記前景用表示装置に表示された被写体に関連するテクスチャを持つ境界抑制体を更に備えることを特徴とする請求項１乃至４のいずれかに記載の投影装置。
【発明の詳細な説明】
【技術分野】
【０００１】
本発明は、映像を投影する技術に関する。
【背景技術】
【０００２】
遠隔コミュニケーションやエンターテイメントの分野では、人やバーチャルキャラクタを「あたかもその場に存在するかのように提示する手法」が求められている。こうした手法として、ハーフミラーによって表示装置の表示面を反射させ、当該表示面内の被写体の虚像を空中に表示する投影装置が提案されている。
【０００３】
図９（ａ）は、従来の投影装置を示す上面図である。従来の投影装置は、図９（ａ）に示すように、左側の観察者から見て、平形状のハーフミラー１を略４５°の角度で配置し、当該ハーフミラー１の片サイドに前景用表示装置２を配置する。これにより、前景用表示装置２の表示面に表示された被写体の虚像をハーフミラー１の奥に投影することができる。
【０００４】
また、従来の投影装置は、上記被写体の虚像が投影される位置の奥に、更に背景用表示装置３を配置する。当該背景用表示装置３で上記被写体の影や所定のテクスチャ等を表示することにより、上記被写体を前景とし、当該被写体の影等を背景とする表示が可能となる。これにより、例えば、図９（ｂ）に示すように、破線で示された被写体の虚像の後方に、実線で示された当該被写体の影の映像を重ねて表示することができる。前景に対し背景を表示するため、前景に奥行き感を与え、前景の存在感を強調することができる。
【先行技術文献】
【非特許文献】
【０００５】
【非特許文献１】巻口 誉宗、外５名、“スマートフォンで利用可能な小型多層空中像投影装置の提案”、情報処理学会、インタラクション、2016年3月4日
【発明の概要】
【発明が解決しようとする課題】
【０００６】
しかしながら、従来の投影装置は、前景用表示装置２をハーフミラー１の片サイドに配置し、被写体の虚像が投影される位置の奥に背景用表示装置３を配置するため、前景用表示装置２の表示面の幅と虚像投影位置から背景用表示装置３までの距離幅とを合わせた奥行幅Ｗが必要となり、投影装置の奥行方向での小型化が困難であった。
【０００７】
本発明は、上記事情を鑑みてなされたものであり、前景に対して背景を併せて表示する投影装置において、当該投影装置の奥行方向の小型化を実現することを目的とする。
【課題を解決するための手段】
【０００８】
以上の課題を解決するため、請求項１に係る投影装置は、凸形状のハーフミラーと、前記ハーフミラーの反凸側に配置され、被写体を写した被写体映像を表示する前景用表示装置と、前記ハーフミラーの両サイドに前記前景用表示装置に垂直にそれぞれ配置され、前記被写体映像に対する背景映像を左右で分割した各分割背景映像をそれぞれ表示する２つの背景用表示装置と、を備え、前記２つの背景用表示装置にそれぞれ表示された各分割背景映像を前記ハーフミラーにそれぞれ反射させ、前記前景用表示装置に表示された被写体映像よりも奥側に前記背景映像の虚像を表示することを特徴とする。
【０００９】
請求項２に係る投影装置は、請求項１に記載の投影装置において、前記ハーフミラーは、凸形状の凸部分が湾曲した形状を備え、前記背景用表示装置は、前記ハーフミラーの湾曲部分で反射される部分の分割背景映像の横軸方向の大きさの割合を当該湾曲部分の湾曲率に応じて変更することを特徴とする。
【００１０】
請求項３に係る投影装置は、請求項１又は２に記載の投影装置において、前記ハーフミラーは、１つの平形状のハーフミラーを折り曲げて成り、折り曲げられた湾曲部分の透過率は平面部分の透過率よりも高い構成を備え、前記背景用表示装置は、前記ハーフミラーの湾曲部分で反射される部分の分割背景映像の輝度を当該湾曲部分の透過率に応じて変更することを特徴とする。
【００１１】
請求項４に係る投影装置は、請求項１乃至３のいずれかに記載の投影装置において、前記ハーフミラーと前記背景用表示装置との間の床面に配置され、前記ハーフミラーと前記前景用表示装置との間にある床面のテクスチャと同じテクスチャを持つ境界抑制体を更に備えることを特徴とする。
【００１２】
請求項５に係る投影装置は、請求項１乃至４のいずれかに記載の投影装置において、前記ハーフミラーと前記背景用表示装置との間の床面に配置され、前記前景用表示装置に表示された被写体に関連するテクスチャを持つ境界抑制体を更に備えることを特徴とする。
【発明の効果】
【００１３】
本発明によれば、投影装置の奥行方向の小型化を実現することができる。
【図面の簡単な説明】
【００１４】
【図１】第１の実施形態に係る投影装置を示す上面図である。
【図２】第１の実施形態に係る投影装置を示す上面図である。
【図３】第２の実施形態に係る投影装置を示す上面図である。
【図４】第３の実施形態に係る投影装置を示す上面図である。
【図５】第４の実施形態に係る投影装置を示す上面図である。
【図６】第５の実施形態に係る投影装置を示す上面図である。
【図７】第６の実施形態に係る投影装置を示す上面図である。
【図８】第７の実施形態に係る投影装置を示す上面図である。
【図９】従来の投影装置を示す上面図である。
【発明を実施するための形態】
【００１５】
以下、本発明を実施する一実施の形態について図面を用いて説明する。
【００１６】
＜第１の実施形態＞
図１は、第１の実施形態に係る投影装置を示す上面図である。当該投影装置は、左側の観察者から見て、凸形状のハーフミラー１を凸部分が観察者側に位置するように配置し、当該ハーフミラー１の反凸側に前景用表示装置２を配置し、当該ハーフミラー１の両サイドに前景用表示装置２に垂直に２つ背景用表示装置３ａ，３ｂをそれぞれ配置する。
【００１７】
そして、図示しない画像処理装置で背景映像を左右に分割し、分割した各分割背景映像を２つの背景用表示装置３ａ，３ｂでそれぞれ表示する。これにより、左右に分割された各分割背景映像は、ハーフミラー１の２つの平面部分（ハーフミラー１から凸部分を除いた２つの平面部分）でそれぞれ反射され、左右の背景を合わせた元の背景の虚像が、前景用表示装置２で表示された被写体の奥に投影される。
【００１８】
つまり、本実施の形態では、前景（被写体）をハーフミラー１の奥に位置する前景用表示装置２に表示して観察者に直視させ、背景（被写体の影や所定のテクスチャ等）を左右に分割して凸形状のハーフミラー１でそれぞれ反射させて当該背景の虚像を前景の奥に表示する。それゆえ、図９に示した従来の投影装置で必要であった被写体の虚像投影位置から背景用表示装置３までの物理的な距離幅を削減することができる。また、背景用表示装置３は元の背景映像よりも大きさの小さい分割背景映像を表示するので、表示面の小さい小型な背景用表示装置３を用いることができる。従い、図１に示す投影装置の奥行幅Ｗを極めて小さくすることができる。
【００１９】
次に、投影装置を構成する構成要素について詳述する。
【００２０】
ハーフミラー１は、上面から見て凸形状の形状を備え、凸形状の凸部分で２分される２つの平面部分を持つ。当該ハーフミラー１は、平形状のハーフミラーを２つ用意して互いの一片を接合することで形成してもよいし、大サイズの平形状のハーフミラーを１つ用意して面内中心軸で折り曲げて形成してもよい。２つの平面部分の相対角度は略９０°であることが好ましい。また、図２に示すように、２つの平面部分はそれぞれ２つの背景用表示装置３ａ，３ｂに対して略４５°の角度で配置される。特に、図２に示したようにハーフミラー１を折り曲げて形成する場合、凸部分１ａを滑らかに曲げることにより、分割された左右の背景の虚像のつなぎ目を目立たなくさせることが好ましい。
【００２１】
２つの背景用表示装置３ａ，３ｂは、それぞれ、ハーフミラー１の両サイドに互いの表示面を対向させた状態で配置されており、上述した画像処理装置に通信可能に接続されている。また、当該２つの背景用表示装置３ａ，３ｂは、画像処理装置で分割された左右の各分割背景映像をそれぞれ表示する機能を備える。２つの背景用表示装置３ａ，３ｂで表示された左右の各分割背景映像はそれぞれハーフミラー１の平面部分により線対称的に投影されるので、表示装置３ａ，３ｂは、投影後の１つの背景映像が元の背景映像と合致するように線対称性を考慮して背景映像を表示する。線対称性を考慮した分割背景映像の表示方法については、背景用表示装置３ａ，３ｂの持つ既存の反転表示機能等を利用してもよいし、画像処理装置又は背景用表示装置３ａ，３ｂが映像を反転等して適宜調整してもよい。
【００２２】
また、ハーフミラー１が折り曲げて形成されている場合、折り曲げられている凸部分１ａは湾曲した形状になるので、当該湾曲部分で反射された背景の虚像に歪が生じてしまう。具体的には、当該湾曲した形状により、背景の虚像の中央部分が横方向に間延びしたように投影されてしまう。これを防止するため、背景用表示装置３ａ，３ｂは、それぞれ、図２に示すように、ハーフミラー１の平面部分に対応する表示面の表示領域３ａｂを除き、凸部分１ａに対応する表示領域３ａａに表示する部分の背景映像に対して凸部分１ａの湾曲率を考慮した補正を加える。つまり、背景用表示装置３ａ，３ｂは、それぞれ、ハーフミラー１の湾曲部分で反射される部分の各分割背景映像の横軸方向の大きさの割合を当該湾曲部分の湾曲率に応じて変更する。このような補正を加えることにより、投影後の背景を元の背景映像に合致させることができる。
【００２３】
前景用表示装置２は、ハーフミラー１の奥側で２つ背景用表示装置３ａ，３ｂと略９０°の角度で配置されており、被写体を写した被写体映像を表示する機能を備える。背景用表示装置３ａ，３ｂによる背景の虚像を前景である被写体の奥に投影するため、前景用表示装置２は、図２に示すように、前景用表示装置２からハーフミラー１の平面部分までの距離Ｄ２が、背景用表示装置３ａ，３ｂからハーフミラー１の平面部分までの距離Ｄ１よりも小さくなるように配置する。つまり、Ｄ１＞Ｄ２とすることにより、２つの背景用表示装置３ａ，３ｂにより投影された背景の虚像を、被写体である前景の後方に位置付けることができる。
【００２４】
なお、前景用表示装置２に表示される被写体映像は、別途用意されたカメラで撮影した観察者の映像であってもよいし、観察者以外の映像でもよい。また、背景用表示装置３ａ，３ｂに表示される背景映像は、観察者の影を所定のテクスチャ及び色で模した影の映像であってもよいし、影の映像以外でもよい。例えば、風景や動物等を背景映像として用いてもよい。
【００２５】
以上より、本実施の形態によれば、凸形状のハーフミラー１と、ハーフミラー１の反凸側に配置され、被写体を写した被写体映像を表示する前景用表示装置２と、ハーフミラー１の両サイドに前景用表示装置２に垂直にそれぞれ配置され、被写体映像に対する背景映像を左右で分割した各分割背景映像をそれぞれ表示する２つの背景用表示装置３ａ，３ｂと、を備え、２つの背景用表示装置３ａ，３ｂにそれぞれ表示された各分割背景映像をハーフミラー１にそれぞれ反射させ、前景用表示装置２に表示された被写体映像よりも奥側に背景映像の虚像を表示するので、図９に示した従来の投影装置で必要であった被写体の虚像投影位置から背景用表示装置３までの物理的な距離幅を削減することができる。また、背景用表示装置３は元の背景映像よりも大きさの小さい分割背景映像を表示するので、表示面の小さい小型な背景用表示装置３を用いることができる。従い、投影装置の奥行方向の小型化を実現することができる。
【００２６】
また、本実施の形態によれば、ハーフミラー１は、凸形状の凸部分が湾曲した形状を備え、２つの背景用表示装置３ａ，３ｂは、それぞれ、ハーフミラー１の湾曲部分で反射される部分の分割背景映像の横軸方向の大きさの割合を当該湾曲部分の湾曲率に応じて変更するので、投影される背景の虚像に歪が生じることを抑制し、投影装置の管理者が所望する背景を本来の大きさ及び形状で投影することができる。
【００２７】
＜第２の実施形態＞
次に、第２の実施形態について説明する。第２の実施形態では、ハーフミラー１の凸部分の湾曲による背景の虚像のつなぎ目を目立たなくすることを目的とする。
【００２８】
図３は、第２の実施形態に係る投影装置を示す上面図である。第２の実施形態に係る投影装置は、第１の実施形態と同じであるが、ハーフミラー１の凸部分１ａの構成と、２つの背景用表示装置３ａ，３ｂで表示する各分割背景映像の表示方法と、が異なる。
【００２９】
上記目的を達成するため、本実施の形態では、ハーフミラー１の湾曲部分の凸部分１ａに反射部分を設けないようにする。例えば、当該凸部分１ａを非反射性の部材で覆い、若しくは、反射性の低い部材で構成する。又は、当該凸部分１ａの透過率を高めるようにする。具体的には、当該凸部分１ａについては透過率の高いハーフミラーで構成し、当該凸部分１ａ以外の平面部分については透過率の低いハーフミラーで構成する。これにより、ハーフミラー１の凸部分１ａの湾曲による背景の虚像のつなぎ目を目立たなくすることができる。
【００３０】
また、２つ背景用表示装置３ａ，３ｂは、それぞれ、各分割背景映像を輝度勾配（グラデーション）を持たせて表示する。例えば、ハーフミラー１の湾曲部分の凸部分１ａの反射率又は透過率に合わせて、凸部分１ａに向けて徐々に輝度が高くなるように分割背景映像を補正して表示する。これにより、ハーフミラー１の凸部分１ａに対応する背景の虚像の輝度減衰を軽減することができ、凸部分１ａの湾曲による背景の虚像のつなぎ目をより目立たなくすることができる。
【００３１】
以上より、本実施の形態によれば、ハーフミラー１の湾曲部分の凸部分１ａに反射部分を設けないようにし、又は、当該凸部分１ａの透過率を高めるようにし、２つの背景用表示装置３ａ，３ｂは、それぞれ、ハーフミラー１の湾曲部分の凸部分１ａで反射される部分の分割背景映像の輝度を当該湾曲部分の反射率又は透過率に応じて変更するので、ハーフミラー１の凸部分の湾曲による背景の虚像のつなぎ目を目立たなくすることができる。
【００３２】
＜第３の実施形態＞
次に、第３の実施形態について説明する。第３の実施形態では、前景用表示装置３と床面との境界を目立たなくすることを目的とする。
【００３３】
図４は、第３の実施形態に係る投影装置を示す上面図である。第３の実施形態に係る投影装置は、第１の実施形態の構成に加えて、境界抑制体４を更に備えて構成される。
【００３４】
境界抑制体４は、前景用表示装置２と当該前景用表示装置２直下の床面との間の境界を目立たなくするための部材であり、ハーフミラー１と２つの背景用表示装置３ａ，３ｂとの間の床面に配置される。例えば、図４に示したように、フロアパネル４ａ、足型パネル４ｂである。その他、フロアマット、プレート、シール等を用いてもよい。
【００３５】
上記目的を達成するため、本実施の形態では、２つの方法を説明する。
【００３６】
１つ目は、境界抑制体４のテクスチャと、ハーフミラー１と前景用表示装置２との間の前景前床面５のテクスチャとを一致させる。つまり、前景前床面５のテクスチャと同じテクスチャを持つフロアパネル４ａをハーフミラー１と背景用表示装置３ａ，３ｂとの間の床面に配置する。これにより、フロアパネル４ａのテクスチャの虚像４ａ’が前景前床面５のテクスチャと重なって表示されるので、前景用表示装置２の奥側にも床面のテクスチャが続くように見え、前景用表示装置２と床面との境目を目立たなくすることができる。逆に、ハーフミラー１と前景用表示装置２との間の床面にフロアパネル４ａを配置し、当該フロアパネル４ａのテクスチャを、ハーフミラー１と背景用表示装置３ａ，３ｂとの間の床面のテクスチャに一致させてもよい。
【００３７】
２つ目は、境界抑制体４のテクスチャと、前景用表示装置２に表示される被写体のテクスチャとを関連させる。例えば、前景用表示装置２に表示される被写体がヒト型である場合、当該ヒト型のテクスチャと同様のテクスチャの足型パネル４ｂをハーフミラー１と背景用表示装置３ａ，３ｂとの間の床面に配置する。これより、足型パネル４ｂの虚像４ｂ’が被写体であるヒト型の足の影のように見え、前景用表示装置２と床面との境目を目立たなくすることができ、被写体の存在感を高めることができる。
【００３８】
なお、境界抑制体４による床面テクスチャは固定的に定めてもよいし、動的に表示してもよい。動的に表示する場合、表示装置を追加して表示面をハーフミラー１の設置側に向けて床面内に埋設し、当該表示装置で表示する映像内で床面テクスチャを調整する。上記２つ目の場合、前景用表示装置２に表示される被写体映像の位置やテクスチャを考慮する必要があるが、この場合、例えば、追加した表示装置は、前景用表示装置２で表示される被写体映像を取得し、画像解析を行って被写体に合う位置及びテクスチャの足型映像を生成して表示する。
【００３９】
以上より、本実施の形態によれば、前景前床面５のテクスチャと同じテクスチャを持つフロアパネル４ａをハーフミラー１と背景用表示装置３ａ，３ｂとの間の床面に配置するので、前景用表示装置２と床面との境目を目立たなくすることができる。
【００４０】
また、本実施の形態によれば、前景用表示装置２に表示されるヒト型の足元の影に相当する足型パネル４ｂをハーフミラー１と背景用表示装置３ａ，３ｂとの間の床面に配置するので、前景用表示装置２と床面との境目を目立たなくすることができ、被写体の存在感を高めることができる。
【００４１】
＜第４の実施形態＞
次に、第４の実施形態について説明する。第４の実施形態では、観察者から、両サイドにある２つ背景用表示装置３ａ，３ｂの分割背景映像が見えるのを防ぐことを目的とする。
【００４２】
図５は、第４の実施形態に係る投影装置を示す上面図である。第４の実施形態に係る投影装置は、第１の実施形態の構成に加えて、一対の偏光板６ａ，６ｂと、偏光板７と、を更に備えて構成される。
【００４３】
一対の偏光板６ａ，６ｂは、それぞれ、ハーフミラー１と２つの背景用表示装置３ａ，３ｂとの間に配置され、ハーフミラー１の位置する方向（向きＡ）にのみ光を透過させる機能を持つ。偏光板７は、ハーフミラー１と観察者との間に配置され、観察者の位置する方向（向きＢ）にのみ光を透過させる機能を持つ。
【００４４】
例えば、円偏光板、直線偏光板を用いることができる。円偏光板を用いる場合、向きＡの偏光板６ａ，６ｂを透過した光はハーフミラー１の反射によって極性が反転するため、向きＢの偏光板７を透過するが、ハーフミラー１に反射していない光は向きＢの偏光板７を透過することはできない。直線偏光板を用いる場合は、ハーフミラー１で反射する際に偏光が崩れるようなハーフミラーの透過波長＋１／４ラムダ波長板を用いればよい。
【００４５】
以上より、本実施の形態によれば、ハーフミラー１と２つの背景用表示装置３ａ，３ｂとの間に偏光板６ａ，６ｂをそれぞれ配置し、ハーフミラー１と観察者との間に偏光板７を配置するので、観察者から、両サイドにある２つ背景用表示装置３ａ，３ｂの分割背景映像が見えるのを防ぐことができる。
【００４６】
＜第５の実施形態＞
次に、第５の実施形態について説明する。第５の実施形態では、第４の実施形態と同様に、観察者から、両サイドにある２つの背景用表示装置３ａ，３ｂの分割背景映像が見えるのを防ぐことを目的とする。
【００４７】
図６は、第５の実施形態に係る投影装置を示す上面図である。第５の実施形態に係る投影装置は、第１の実施形態の構成に加えて、一対の視野角制限フィルム８ａ，８ｂを更に備えて構成される。
【００４８】
一対の視野角制限フィルム８ａ，８ｂは、それぞれ、ハーフミラー１と２つの背景用表示装置３ａ，３ｂとの間に配置され、正面方向から例えば全角６０°程度にのみ視野角を制限する機能を持つ。そのため、当該視野角の範囲外に位置する観察者に対して、背景用表示装置３ａ，３ｂの分割背景映像を制限することができる。
【００４９】
以上より、本実施の形態によれば、ハーフミラー１と２つの背景用表示装置３ａ，３ｂとの間に視野角制限フィルム８ａ，８ｂを配置するので、観察者から、両サイドにある２つの背景用表示装置３ａ，３ｂの分割背景映像が見えるのを防ぐことができる。
【００５０】
＜第６の実施形態＞
次に、第６の実施形態について説明する。第６の実施形態では、前景及び背景を３Ｄ化することを目的とする。
【００５１】
図７は、第６の実施形態に係る投影装置を示す上面図である。第６の実施形態に係る投影装置は、第１の実施形態と同じであるが、前景用表示装置２と２つの背景用表示装置３ａ，３ｂの装置種別が異なる。
【００５２】
前景用表示装置２と２つの背景用表示装置３ａ，３ｂとしては、一般的には、汎用ディスプレイやスクリーン等の２Ｄの表示装置を用いることが考えられる。一方、本実施の形態では、３Ｄディスプレイ、多視点スクリーン、マルチレイヤディスプレイ、ＤＦＤ（Depth-Fused 3-D）等の３Ｄの表示装置を用いる。
【００５３】
以上より、本実施の形態によれば、前景用表示装置２と２つの背景用表示装置３ａ，３ｂを３Ｄの表示装置で構成するので、前景及び背景を３Ｄ化することができる。
【００５４】
＜第７の実施形態＞
次に、第７の実施形態について説明する。第７の実施形態では、背景を多層化することを目的とする。
【００５５】
図８は、第７の実施形態に係る投影装置を示す上面図である。第２の実施形態に係る投影装置は、第１の実施形態と同じであるが、凸形状のハーフミラー１Ｂと、一対の背景用表示装置３ｃ，３ｄと、を更に備えて構成される。
【００５６】
上記目的を達成するため、本実施形態では、凸形状の２つのハーフミラー１Ａ，１Ｂを多段配置し、それぞれのハーフミラー１Ａ，１Ｂの両サイドに一対の背景用表示装置（（３ａ，３ｂ），（３ｃ，３ｄ））をそれぞれ配置する。２段目の一対の背景用表示装置３ｃ，３ｄについても、図２に示したようにＤ１＞Ｄ２の大小関係を維持する位置で配置する。これにより、１段目の一対の背景用表示装置３ａ，３ｂによる背景の虚像の奥に、２段目の一対の背景用表示装置３ｃ，３ｄによる背景の虚像を投影することができる。勿論、ハーフミラー１と一対の背景用表示装置との組み合わせを３つ以上用いることにより、３層以上の背景の虚像を投影することも可能である。
【００５７】
以上より、本実施の形態によれば、２つのハーフミラー１Ａ，１Ｂと２つの一対の背景用表示装置（（３ａ，３ｂ），（３ｃ，３ｄ））と備えるので、背景の虚像を２層化することができる。
【符号の説明】
【００５８】
１，１Ａ，１Ｂ…ハーフミラー
２…前景用表示装置
３，３ａ〜３ｄ…背景用表示装置
４，４ａ，４ｂ…境界抑制体
５…前景前床面
６，６ａ，６ｂ…偏光板
７…偏光板
８ａ，８ｂ…視野角制限フィルム
【図１】
2019045739.tif 000003
【図２】
2019045739.tif 000004
【図３】
2019045739.tif 000005
【図４】
2019045739.tif 000006
【図５】
2019045739.tif 000007
【図６】
2019045739.tif 000008
【図７】
2019045739.tif 000009
【図８】
2019045739.tif 000010
【図９】
2019045739.tif 000011